(57)【特許請求の範囲】
【請求項１】
空洞部を有する筺体と、該筺体の下方に設けられた板状の底壁と、該底壁面に対して直角方向に上方に伸びた操作部を有し、前記筺体の空洞部内に回動可能に配設された操作部材と、該操作部材と前記底壁との間に介在され、前記操作部材の戻しと可動接点とを兼ねる金属から成る複数個のバネ部材と、前記底壁に設けられた固定接点と前記バネ部材とから成るスイッチ部と、前記操作部材の下方に配設され、可動接点と固定接点とを有するプッシュスイッチとを備え、前記操作部材は下部にＶ字状の収納部を有し、また、前記バネ部材は巻回部と一対の腕部とを有し、該腕部を前記底壁に当接させると共に、前記収納部の内面に前記巻回部を当接させ、前記操作部材の回動動作により、前記収納部の内面で前記巻回部を前記底壁側に押し込んで、一対の前記腕部を広げて前記スイッチ部の接点の切り換えを行うと共に、前記操作部材の回動動作の解放時に、前記バネ部材のバネ性により、一対の前記腕部が狭められて前記操作部材を元の中立状態に戻して前記スイッチ部の操作を行い、また、前記操作部材の前記底壁面方向への押圧動作により前記プッシュスイッチの接点の切り換えを行うと共に、前記操作部材の押圧動作の解放時に、前記バネ部材のバネ性により、一対の前記腕部が狭められて前記操作部材を元の中立状態に戻して前記プッシュスイッチの操作を行うようにしたことを特徴とするスイッチ装置。
【請求項２】
基部と該基部の両端から延びる一対の柱状部を有する可動体を備え、前記バネ部材の前記巻回部の中心部に前記柱状部を挿入して、前記バネ部材と前記可動体とを組み合わせ、前記柱状部を挿入した前記巻回部を前記操作部材の前記収納部の内面に当接させたことを特徴とする請求項１記載のスイッチ装置。
【請求項３】
前記操作部材の上部を覆う取付部材を有し、前記操作部材の回動動作時、操作部材の一部が前記取付部材と前記筺体の間に挟まれて、前記操作部材の下方向の移動を防止したことを特徴とする請求項１、又は２記載のスイッチ装置。
【請求項４】
前記取付部材の下部にＶ字状の凹部を設け、前記可動体の前記柱状部を前記凹部に当接可能とし、前記操作部材が中立状態にある時、前記バネ部材により、前記柱状部を前記凹部の頂部に当接させるようにしたことを特徴とする請求項３記載のスイッチ装置。
【請求項５】
前記操作部材と前記筺体の何れか一方には凹部、他方には凸部を設け、前記操作部材の押圧動作時、前記凹部と凸部の嵌合により前記操作部材の回動を防止したことを特徴とする請求項１乃至４のいずれかに記載のスイッチ装置。
【請求項６】
前記請求項１乃至５のいずれかに記載のスイッチ装置と、プリント基板を収納したケースとを備え、前記底壁が前記プリント基板面に載置されて前記プリント基板に取り付けられると共に、前記プリント基板面と対向する前記ケースの正面部から前記スイッチ装置の前記操作部材が突出し、前記ケースの正面部で前記操作部材を操作するようにしたことを特徴とする電子機器。
【発明の詳細な説明】
【０００１】
【発明の属する技術分野】
本発明は多方向の操作が可能なスイッチ装置、並びにこのようなスイッチ装置を使用したリモコン、或いは携帯電話機等の電子機器に関する。
【０００２】
【従来の技術】
従来の多方向の操作が可能なスイッチ装置は、図１７〜図２０に示すように、合成樹脂の成型品から成る筺体３１は、底壁３１ａと、この底壁３１ａの周囲を囲む側壁３１ｂと、中央部に設けられた空洞部３１ｃと、空洞部３１ｃの中心部に位置し、底壁３１ａから突出して設けられた支柱３１ｄと、空洞部３１ｃ内に設けられた一対の段部３１ｅと、側壁３１ｂに設けられた切り欠き部３１ｆとを備えている。
また、図１９に示すように、筺体３１には、複数個の固定接点３２、３３、３４、３５が埋設され、それぞれの接点部３２ａ、３３ａ、３４ａ、３５ａは空洞部３１ｃ内の底壁３１ａ上に露出して配設されている。
【０００３】
また、合成樹脂の成型品から成る操作部材３６は、操作部３６ａと、円形状の取付部３６ｂと、取付部３６ｂの上面に設けられた一対の段部３６ｃと、取付部３６ｂの中心部に設けられた孔３６ｄを有する筒部３６ｅとを備えている。
また、金属板から成るリング状の可動接点３７は、対向する位置に接点部３７ａ、３７ｂを有し、この可動接点３７は取付部３６ｂの下面に適宜手段で取り付けられている。
そして、可動接点３７を取り付けた操作部材３６は、取付部３６ｂを空洞部３１ｃ内に位置させると共に、切り欠き部３１ｆを通して操作部３６ａを側壁３１ｂから外方に突出させ、取付部３６ｂの孔３６ｄに支柱３１ｄを挿通して、筺体３１に取り付けられている。
【０００４】
また、このようにして取り付けられた操作部材３６は、支柱３１ｄを中心として、時計方向の矢印Ｋ１方向と反時計方向の矢印Ｋ２方向に回動可能であると共に、側壁３１ｂに対して直角方向の矢印Ｐ方向に移動可能に取り付けられている。
また、可動接点３７の接点部３７ａ、３７ｂは、通常の中立状態では、図１９に示す位置Ｘ１と位置Ｙ１の位置にあって、操作部材３６を矢印Ｋ１方向に回転した時は、接点部３７ａは位置Ｘ２に移動すると共に、接点部３７ｂは位置Ｙ２に移動して、固定接点３２と３３が導通し、また、操作部材３６を矢印Ｋ２方向に回転した時は、接点部３７ａは位置Ｘ１から位置Ｘ３に移動すると共に、接点部３７ｂは位置Ｙ１から位置Ｙ３に移動して、固定接点３２と３４が導通した状態となる。
即ち、これによって、回転型のスイッチ部が構成されている。
更に、操作部材３６を矢印Ｐ方向に押圧すると、接点部３７ａは位置Ｘ１から位置Ｘ４に移動すると共に、接点部３７ｂは位置Ｙ１から位置Ｙ４に移動して、固定接点３２と３５が導通するようになっている。
即ち、これによって、プッシュスイッチが構成されている。
【０００５】
また、金属板から成る板バネ３８は、空洞部３１ｃ内の側壁３１ｂと取付部３６ｂとの間に配置され、操作部材３６を常時底壁３１ａ面に対して平行方向に押圧しており、操作部材３６の戻しバネとなっている。
また、コイルバネ３９は、巻回部３９ａと、一対の腕部３９ｂとを有し、このコイルバネ３９は、巻回部３９ａの中心部に操作部材３６の筒部３６ｅ挿通し、一対の腕部３９ｂをそれぞれ操作部材３６の段部３６ｃと筺体３１の段部３１ｅに当接させた状態で取り付けられている。
そして、操作部材３６を矢印Ｋ１方向、或いは矢印Ｋ２方向に回動した時、一方の腕部３９ｂが圧縮され、回動を解除すると腕部３９ｂのバネ性によって操作部材３６が元の中立状態に戻るようになり、このコイルバネ３９が回動時の戻しバネとなっている。
また、金属板から成る取付部材４０は取付片４０ａを有し、この取付部材４０は、筺体３１の開放部を覆うように配設され、取付片４０を筺体３１に掛け止めして取り付けられ、筺体３１内に操作部材３６等を取り付けている。
【０００６】
このようなスイッチ装置の操作を説明すると、中立状態にある操作部材３６を矢印Ｋ１方向、或いは矢印Ｋ２方向にコイルバネ３９のバネ性に抗して回動すると、可動接点３７も回動し、接点３７ａは、位置Ｘ１から位置Ｘ２、或いは位置Ｘ３に移動し、また、接点部３７ｂは、位置Ｙ１から位置Ｙ２、或いは位置Ｙ３に移動し、固定接点３２と３３、或いは３４と導通した状態となる。
また、操作部材３６の回動を解除すると、コイルバネ３９のバネ性により操作部材３６と可動接点３７は元の中立状態に戻り、接点部３７ａは位置Ｘ１に、また、接点部３７ｂは位置Ｙ１に戻り、固定接点３２と３３、或いは３４との導通が解除されて、接点の切り換えが行われるようになる。
また、中立状態にある操作部材３６を矢印Ｐ方向に板バネ３８に抗して押圧すると、可動接点３７も移動し、接点部３７ａは位置Ｘ１から位置Ｘ４に、また、接点部３７ｂは位置Ｙ１から位置Ｙ４に移動して、固定接点３２と３５が導通した状態となる。
また、操作部材３６の押圧を解除すると、板バネ３８のバネ性により操作部材３６と可動接点３７は元の位置に戻り、接点部３７ａは位置Ｘ１に、また、接点部３７ｂは位置Ｙ１に戻り、固定接点３２と３５との導通が解除されて、接点の切り換えが行われるようになる。
このようにして、多方向の操作の可能なスイッチ装置の操作が行われるものである。
【０００７】
そして、このようなスイッチ装置は、図２０に示すように、リモコン、携帯電話機等の電子機器に組み込まれて使用されるが、その構成は、ケース４１内には、各種の電気部品を取り付け配線したプリント基板４２が収納され、このプリント基板４２面上に、筺体３１の底壁３１ａが載置されて、固定接点３２等がプリント基板４２に接続されると共に、操作部材３６がケース４１の側面４１ａから外方に突出した構成となっている。
そして、操作者は、ケース４１の側方部を握った状態で、操作部材３６を操作するものである。
しかし、操作部材３６が側面４１ａから突出しているため、ケース４１を握る時等において、不用意に操作部材３６に接触することが度々あった。
【０００８】
【発明が解決しようとする課題】
従来のスイッチ装置は、操作部材３６を中立状態に戻すために板バネ３８とコイルバネ３９を必要とし、部品点数が多くなって、コスト高になるばかりか、組立に手間がかかり、生産性が悪いという問題があった。
また、操作部材３６が筺体３１の側壁３１ｂから外方に突出し、筺体３１の側方部で操作するものであるため、電子機器への取付に制限があり、自由な電子機器のデザインが得られ無いという問題があった。
また、スイッチ装置を組み込んだ電子機器にあっては、操作部材３６がケース４１の側方部から突出しているため、ケース４１を握る時等において、不用意に操作部材３６に接触することが度々生じ、操作性が悪いという問題があった。
【０００９】
【課題を解決するための手段】
上記課題を解決するための第１の解決手段として、空洞部を有する筺体と、該筺体の下方に設けられた板状の底壁と、該底壁面に対して直角方向に上方に伸びた操作部を有し、前記筺体の空洞部内に回動可能に配設された操作部材と、該操作部材と前記底壁との間に介在され、前記操作部材の戻しと可動接点とを兼ねる金属から成る複数個のバネ部材と、前記底壁に設けられた固定接点と前記バネ部材とから成るスイッチ部と、前記操作部材の下方に配設され、可動接点と固定接点とを有するプッシュスイッチとを備え、前記操作部材は下部にＶ字状の収納部を有し、また、前記バネ部材は巻回部と一対の腕部とを有し、該腕部を前記底壁に当接させると共に、前記収納部の内面に前記巻回部を当接させ、前記操作部材の回動動作により、前記収納部の内面で前記巻回部を前記底壁側に押し込んで、一対の前記腕部を広げて前記スイッチ部の接点の切り換えを行うと共に、前記操作部材の回動動作の解放時に、前記バネ部材のバネ性により、一対の前記腕部が狭められて前記操作部材を元の中立状態に戻して前記スイッチ部の操作を行い、また、前記操作部材の前記底壁面方向への押圧動作により前記プッシュスイッチの接点の切り換えを行うと共に、前記操作部材の押圧動作の解放時に、前記バネ部材のバネ性により、一対の前記腕部が狭められて前記操作部材を元の中立状態に戻して前記プッシュスイッチの操作を行うようにした構成とした。
【００１０】
また、第２の解決手段として、基部と該基部の両端から延びる一対の柱状部を有する可動体を備え、前記バネ部材の前記巻回部の中心部に前記柱状部を挿入して、前記バネ部材と前記可動体とを組み合わせ、前記柱状部を挿入した前記巻回部を前記操作部材の前記収納部の内面に当接させた構成とした。
また、第３の解決手段として、前記操作部材の上部を覆う取付部材を有し、前記操作部材の回動動作時、操作部材の一部が前記取付部材と前記筺体の間に挟まれて、前記操作部材の下方向の移動を防止した構成とした。
また、第４の解決手段として、前記取付部材の下部にＶ字状の凹部を設け、前記可動体の前記柱状部を前記凹部に当接可能とし、前記操作部材が中立状態にある時、前記バネ部材により、前記柱状部を前記凹部の頂部に当接させるようにした構成とした。
また、第５の解決手段として、前記操作部材と前記筺体の何れか一方には凹部、他方には凸部を設け、前記操作部材の押圧動作時、前記凹部と凸部の嵌合により前記操作部材の回動を防止した構成とした。
また、第６の解決手段として、前記スイッチ装置と、プリント基板を収納したケースとを備え、前記底壁が前記プリント基板面に載置されて前記プリント基板に取り付けられると共に、前記プリント基板面と対向する前記ケースの正面部から前記スイッチ装置の前記操作部材が突出し、前記ケースの正面部で前記操作部材を操作するようにした構成とした。
【００１１】
【発明の実施の形態】
本発明のスイッチ装置の一実施例を図１〜図１０に基づいて説明すると、図１は本発明のスイッチ装置の一実施例の正面図、図２は本発明のスイッチ装置の一実施例の側面図、図３は本発明のスイッチ装置の一実施例の要部の分解斜視図、図４は図２の４ー４線における断面図、図５は図４の５ー５線における断面図、図６は図４の６ー６線における断面図、図７は図４の７ー７線における断面図、図８の（Ａ），（Ｂ），（Ｃ）は本発明のスイッチ装置の一実施例の動作の説明図、図９の（Ａ），（Ｂ），（Ｃ）は本発明のスイッチ装置の一実施例の動作の説明図、図１０は本発明のスイッチ装置の一実施例を使用した電子機器の説明図である。
【００１２】
本発明のスイッチ装置の一実施例は、図１〜図９に示すように、合成樹脂の成型品から成る筺体１は、底壁１ａと、上方が開放され、底壁１ａの周囲を囲む側壁１ｂと、二つの区画壁１ｃによって三つに区画された空洞部１ｄと、一方の区画壁１ｃの頂部に設けられた凸部１ｅと、二つの空洞部１ｄ内に位置し、底壁１ａから突出して設けられた一対のＬ字状の係止片１ｆと、側壁１ｂの外周に設けられた突部１ｇとを備えている。
また、筺体１には、複数個の固定接点２、３と共通の固定接点４が埋設され、固定接点２と３は空洞部１ｄの端部において、また、共通の固定接点４は係止部１ｆが位置する空洞部１ｄの中央部において底壁１ａ上に露出して配設されている。
なお、底壁１ａは筺体１と別体にして、筺体１に取り付けるようにしても良い。
【００１３】
また、線バネ等から成る二つのバネ部材５は、巻回部５ａと、巻回部５ａの両側から下方に伸びた係止部を有する腕部５ｂ，５ｃとを備え、このバネ部材５は、図４、図７に示すように、腕部５ｂ，５ｃの係止部を筺体１の一対の係止部１ｆに掛け止めして取り付けられている。
そして、腕部５ｂ，５ｃは、通常の中立状態にある時、共通の固定接点４に接触した状態となっており、バネ部材５と固定接点２、３、及び共通の固定接点４とでスイッチ部Ｓ１が構成されている。
また、合成樹脂の成型品から成る操作部材６は、上面が湾曲状をなし、蒲鉾状をした基部６ａと、基部６ａの両側から上方に突出した一対の操作部６ｂと、基部６ａの中央部で下方に突出して設けられた作動部６ｃと、作動部６ｃに隣接して設けられた孔等から成る凹部６ｄと、作動部６ｃを中心として左右に設けられたＶ字状の収納部６ｅとを備えている。
【００１４】
そして、操作部材６は、その基部６ａを筺体１の空洞部１ｄ内に位置させ、凹部６ｄを筺体１の凸部１ｅに合致させると共に、収納部６ｅにバネ部材５の巻回部５ａを収納した状態となっている。
また、金属板等から成る取付部材７は、湾曲状をなした支持部７ａと、孔７ｂを有する取付部７ｃとを備え、この取付部材７は、支持部７ａで操作部材６の基部６ａの上面を押さえた状態で、取付部７ｃの孔７ｂを筺体１の突部１ｇに掛け止めして、筺体１に取り付けられる。
そして、このようにして操作部材６が取り付けられた際、操作部材６でバネ部材５の巻回部５ａの上部を押圧し、腕部５ｂ，５ｃが共通の固定接点４に圧接した状態となると共に、操作部材６は、図５、図７に示すように、時計方向の矢印Ｋ１方向と反時計方向の矢印Ｋ２方向に回動可能であると共に、底壁１ａ面に対して垂直方向の矢印Ｐ方向に移動可能に取り付けられている。
また、操作部材６の操作部６ｂは、底壁１ａ面に対して直角方向に上方に伸びた状態にあり、底壁１ａ面上で操作部材６の操作が可能となっている。
【００１５】
また、プッシュスイッチＳ２は、固定接点８、９を埋設した絶縁基板１０と、常時固定接点８に接触したドーム状の可動接点１１とから構成され、可動接点１１の中央部を押圧すると、可動接点１１が反転して中央の固定接点９に接触し、固定接点８と９とが導通し、また、押圧を解除すると、可動接点１１は反転して元の状態に戻り、固定接点９との接触が開放されて、接点の切り換えが行われるようになっている。
そして、プッシュスイッチＳ２は、操作部材６の作動部６ｃの下方に配設され、筺体１の下部に取り付けられた状態となっている。
なお、このプッシュスイッチＳ２は、上記構成の他、種々の構成のプッシュスイッチを用いても良い。
【００１６】
このようなスイッチ装置の操作を説明すると、先ず、図７に示す中立状態にある操作部材６を反時計方向の矢印Ｋ２方向に回動すると、図８の（Ａ）に示すように、バネ部材５は、腕部５ｃが係止部１ｆに掛け止めされた状態で、巻回部５ａが収納部６ｅの内面で押されて下方に倒れ込み、腕部５ｂが固定接点２に接触した状態となって、共通の固定接点４と固定接点２とが導通した状態となる。
そして、操作部材６の回動時、図８の（Ｃ）に示すように、操作部材６の一部が区画壁１ｃと取付部材７との間に直ちに介入、挟持されて、回動のガイドをすると共に、回動時に押圧動作が加わっても、操作部材６は下方への移動が区画壁１ｃで阻止されて、図８の（Ｂ）に示すように、作動部６ｃでプッシュスイッチＳ２を操作することがない。
また、操作部材６の回動を解放すると、バネ部材５のバネ性により操作部材６が押し戻されて元の中立状態に戻り、固定接点２と共通の固定接点４との導通が開放されて、接点の切り換えが行われるようになる。
また、図７に示す中立状態にある操作部材６を時計方向の矢印Ｋ１方向に回動する時は、前述と同様の原理により、腕部５ｂが係止部１ｆに掛け止めされた状態でバネ部材５が倒れ込み、腕部５ｃが固定接点３に接触して固定接点３と共通の固定接点４とが導通し、更に、操作部材６の回動を解放すると、前述と同様の原理により、操作部材６がバネ部材５によって元の状態に戻り、固定接点３と共通の固定接点４との導通が開放されて、接点の切り換えが行われるようになる。
【００１７】
更に、図５に示す状態で、操作部材６を底壁１ａ面側（下方向）の矢印Ｐ方向に押圧すると、図９の（Ａ）に示すように、作動部６ｃによって可動接点１１が押されて反転し、固定接点８と９が導通した状態となる。
そして、操作部材６の押圧時、凹部６ｄに凸部１ｅが直ちに嵌入し、凸部１ｅをガイドにして移動すると共に、操作部材６に回動動作が加わっても、凸部１ｅによって回動動作が阻止されている。
また、操作部材６の押圧時、図９の（Ｃ）に示すように、バネ部材５が押されて状態となる。
また、操作部材６の押圧を解除すると、バネ部材５のバネ性により操作部材６は押し戻されて元の中立位置に戻り、凹部６ｄと凸部１ｅとは対向した状態になると共に、可動接点１１が元の状態に反転して戻り、固定接点８と９との導通が開放されて、接点の切り換えが行われるようになる。
このようにして、スイッチ装置の操作が行われ、バネ部材５は、可動接点としての役目と操作部材６の戻しバネの役目を果たしている。
【００１８】
なお、上記バネ部材５は線バネのもので説明したが、例えばＶ字状の板バネでも良く、また、操作部材６の回動動作時のガイド、及び押圧動作時のガイドは、区画壁１ｃ以外の場所に設け、その構成も種々変形させて適用しても良い。
【００１９】
そして、このようなスイッチ装置は、図１０に示すように、リモコン、携帯電話機等の電子機器に組み込まれて使用されるが、その構成は、ケース１２内には、各種の電気部品を取り付け配線したプリント基板１３が収納され、このプリント基板１３面上に、筺体１の底壁１ａが載置されて、固定接点２等がプリント基板１３に接続されると共に、操作部材６がケース１２の正面部１２ａから外方に突出した構成となっている。
そして、操作者は、ケース１２の側方部を握った状態で、他の操作ボタンと同様に、操作部材６を操作するものである。
【００２０】
次に、本発明のスイッチ装置の他の実施例を図１１〜図１６に基づいて説明すると、図１１は本発明のスイッチ装置の他の実施例の分解斜視図、図１２は図１１の１２ー１２線における断面図、図１３は図１１の１３ー１３線における断面図、図１４は図１１の１４ー１４線における断面図、図１５の（Ａ）、（Ｂ）は本発明のスイッチ装置の他の実施例の動作の説明図、図１６は（Ａ）、（Ｂ）は本発明のスイッチ装置の他の実施例の動作の説明図である。
【００２１】
そして、本発明のスイッチ装置の他の実施例は、図１１〜図１６に示すように、合成樹脂の成型品から成る筺体１５は、底壁１５ａと、上方が開放され、底壁１ａの周囲を囲む側壁１５ｂと、二つの区画壁１５ｃによって三つに区画された空洞部１５ｄと、区画壁１５ｃに設けられた切り欠き部１５ｅと、二つの区画壁１５ｃ間に位置する底壁１５ａに設けられた孔１５ｆと、側壁１５ｂの外周に設けられた突部１５ｇと、対向する側壁１５ｂに設けられた二段状の凹部１５ｈとを備えている。
また、筺体１には、複数個の固定接点１６ａ、１６ｂと共通の固定接点１７が埋設され、固定接点１６ａと１６ｂは空洞部１５ｄの端部において、また、共通の固定接点１７は空洞部１５ｄの中央部において底壁１５ａ上に露出して配設されている。
なお、底壁１５ａは筺体１５と別体にして、筺体１５に取り付けるようにしても良い。
【００２２】
また、合成樹脂の成型品からなる可動体１８は、矩形状の基部１８ａと、基部１８ａの中心部に設けられた孔１８ｂと、基部１８ａの両端部に設けられた柱状部１８ｃとを有している。
また、線バネ等から成る二つのバネ部材１９は、巻回部１９ａと、巻回部１９ａの両側から下方に伸びた腕部１９ｂ，１９ｃとを備え、この二つのバネ部材１９は、巻回部１９ａの中心部に可動体１８の一対の柱状部１８ｃを挿入して、可動体１８に取り付けられている。
そして、このような可動体１８は、基部１８ａを中央に位置する空洞部１５ｄに配置すると共に、一対の柱状部１８ｃとバネ部材１９は、両側に位置する空洞部１５ｄに配置して、バネ部材１９の腕部１９ｂ、１９ｃが底壁１５ａに当接した状態となっている。
そして、腕部１９ｂ、１９ｃは、通常の中立状態にある時、固定接点１６ａ、１６ｂと共通の固定接点１７に非接触状態となっており、バネ部材１９と固定接点１６ａ、１６ｂ、及び共通の固定接点１７とでスイッチ部Ｓ１が構成されている。
また、合成樹脂の成型品から成る操作部材２０は、上面が湾曲状をなし、蒲鉾状をした基部２０ａと、基部２０ａの上方中心部から上方に突出した操作部２０ｂと、操作部２０ｂの両側に設けられたスリット部２０ｃと、基部２０ａの中央部で下方に突出して設けられた作動部２０ｄと、作動部２０ｄを中心として左右に設けられたＶ字状の収納部２０ｅと、基部２０ａの左右両端から外方に突出した凸部２０ｆとを備えている。
【００２３】
そして、操作部材２０は、その基部２０ａを筺体１５の空洞部１５ｄ内に位置させ、収納２０６ｅにバネ部材１９の巻回部１９ａを収納した状態で、作動部２０ｄを可動体１８の孔１８ｂに挿入すると共に、凸部２０ｆを凹部１５ｈに位置させている。
また、合成樹脂の成型品等から成る取付部材２１は、湾曲状をなし、支持部２１ａと、支持部２１ａの中央部に矩形状の孔２１ａと、孔２１ｂの両側において支持部２１ａから下方に突出し、Ｖ字状の凹部２１ｃを有する一対の突出部２１ｄとを有し、この取付部材２１は、支持部２１ａで操作部材２０の基部２０ａの上面を押さえた状態で、２１ｂの外側に位置する取付部材２１の一部を筺体１５の突部１５ｇに掛け止めして、筺体１５に取り付けられる。
そして、このようにして操作部材２０が取り付けられた際、操作部材２０の操作部２０ｂは、孔２１ｂから上方に突出し、また、操作部材２０でバネ部材１９の巻回部１９ａの上部を押圧し、腕部１９ｂ、１９ｃが底壁１５ａに圧接すると共に、可動体１８の柱状部１８ｃは取付部材２１の突出部２１ｄのＶ字状の凹部２１ｃの頂部に当接した状態となり、操作部材２０は、図１２に示すように、時計方向の矢印Ｋ１方向と反時計方向の矢印Ｋ２方向に回動可能であると共に、底壁１５ａ面に対して垂直方向の矢印Ｐ方向に移動可能に取り付けられている。
また、操作部材２０の操作部２０ｂは、底壁１５ａ面に対して直角方向に上方に伸びた状態にあり、底壁１５ａ面上で操作部材２０の操作が可能となっている。
【００２４】
また、プッシュスイッチＳ２は、固定接点２２、２３を埋設した絶縁基板２４と、常時固定接点２２に接触したドーム状の可動接点２５とから構成され、可動接点２５の中央部を押圧すると、可動接点２５が反転して中央の固定接点２３に接触し、固定接点２２と２３とが導通し、また、押圧を解除すると、可動接点２５は反転して元の状態に戻り、固定接点２３との接触が開放されて、接点の切り換えが行われるようになっている。
そして、プッシュスイッチＳ２は、操作部材２０の作動部２０ｄの下方で、筺体１５の孔１５ｆ内に配設され、筺体１５に取り付けられた状態となっている。
なお、このプッシュスイッチＳ２は、上記構成の他、種々の構成のプッシュスイッチを用いても良い。
【００２５】
このようなスイッチ装置の操作を説明すると、先ず、図１５の（Ａ）に示す中立状態にある操作部材２０を反時計方向の矢印Ｋ２方向に回動すると、図１５の（Ｂ）に示すように、バネ部材１９の巻回部１９ａが収納部６ｅの右側の内面で押されると共に、可動体１８の柱状部１８ｃが取付部材２１のＶ字状の凹部２１ｃの左斜面に当接してガイドされながらバネ部材１９は下方に倒れ込み、腕部１８ｂ、１８ｃが広げられて固定接点１６ａと共通の固定接点１７に接触した状態となって、共通の固定接点１７と固定接点１６ａとが導通した状態となる。
そして、操作部材２０の回動時、操作部材２０の凸部２０ｆが筺体１５の凹部１５ｈの上段側に移動して、側壁１５ｂと取付部材２１との間で挟持されて、回動のガイドをすると共に、回動時に押圧動作が加わっても、操作部材２０は下方への移動が阻止されて、作動部２０ｄでプッシュスイッチＳ２を操作することがない。
また、操作部材２０の回動を解放すると、バネ部材１９のバネ性により操作部材２０は押し戻されて、図１５（Ａ）、図１３に示すような元の中立状態に戻り、バネ部材１９の巻回部１９ａは収納部２０ｅの頂部に、また、柱状部１８ｃは凹部２１ｃの頂部に位置して、操作部材２０をセンター位置に確実に支持すると共に、固定接点１６ａと共通の固定接点１７との導通が開放されて、接点の切り換えが行われるようになる。
また、図１５（Ａ）に示す中立状態にある操作部材２０を時計方向の矢印Ｋ１方向に回動する時は、前述と同様の原理により、バネ部材１９の巻回部１９ａが収納部６ｅの左側の内面で押されると共に、可動体１８の柱状部１８ｃが凹部２１ｃの右斜面に当接してガイドされながらバネ部材１９が下方に倒れ込み、腕部１９ｂ、１９ｃが固定接点１６ｂに接触して固定接点１６ｂと共通の固定接点１７とが導通し、更に、操作部材２０の回動を解放すると、前述と同様の原理により、操作部材２０がバネ部材１９によって、図１５（Ａ）、図１３に示すような元の中立状態に戻り、固定接点１６ｂと共通の固定接点１７との導通が開放されて、接点の切り換えが行われるようになる。
【００２６】
更に、図１２に示す状態で、操作部材２０を底壁１５ａ面側（下方向）の矢印Ｐ方向にバネ部材１９のバネ性に抗して押圧すると、図１６の（Ａ）に示すように、作動部２０ｄによって可動接点２５が押されて反転し、固定接点２２と２３が導通した状態となる。
そして、操作部材２０の押圧時、操作部材２０の凸部２０ｆが筺体１５の凹部１５ｈの二段目に直ちに嵌入し、凹部１５ｈをガイドにして移動すると共に、操作部材２０に回動動作が加わっても、凸部２０ｆによって回動動作が阻止されている。
そして、操作部材２０が押された時、図１６の（Ｂ）に示すように、バネ部材１９が下方に倒されるが、腕部１９ｂ、１９ｃは、固定接点１６ａ、１６ｂ、１７に非接触の状態となっている。
また、操作部材２０の押圧を解除すると、バネ部材１９のバネ性により操作部材２０は押し戻されて元の中立位置に戻り、凸部２０ｆと凹部１５ｈとは対向した状態になると共に、可動接点２５が元の状態に反転して戻り、固定接点２２、２３との導通が開放されて、接点の切り換えが行われるようになる。
このようにして、スイッチ装置の操作が行われ、バネ部材１９は、可動接点としての役目と操作部材２０の戻しバネの役目を果たしている。
【００２７】
そして、このようなスイッチ装置の他の実施例は、図１０に示すような前記実施例と同様に、リモコン、携帯電話機等の電子機器に組み込まれて使用されるが、その構成は、前記実施例と同様であるので、ここではその説明を省略する。
【００２８】
【発明の効果】
本発明のスイッチ装置は、スイッチ部Ｓ１とプッシュスイッチＳ２を操作するための操作部材６の戻しと可動接点を兼ねるバネ部材５を設けた構成であるため、従来に比して部品点数が少なく、安価で、生産性の良好なスイッチ装置を提供できる。
また、操作部材６の操作部６ｂを、筺体１の底壁１ａ面に対して直角方向に上方に伸ばしたため、電子機器への操作部６ｂを、他の操作ボタンと同様にケース１２の正面部１２ａに置くことが出来て、配置の自由度が得られ、種々の電子機器に好適なスイッチ装置を提供できる。
また、バネ部材５を複数個設けることにより、スイッチ部Ｓ１の多回路のスイッチが得られると共に、プッシュスイッチＳ２の操作時の操作部材６の移動を安定に出来、操作性の良好なスイッチ装置を提供できる。
また、操作部材６に設けたＶ字状の収納部６ｅの内面に、バネ部材５の巻回部５ａを当接させると共に、バネ部材５の腕部５ｂ、５ｃを筺体１の底壁１ａに当接させて、バネ部材５によりスイッチ部Ｓ２の可動接点と操作部材６の戻しバネを兼ねるようにしたため、その構成が簡単であると共に、組立性が良く、安価なスイッチ装置を提供できる。
【００２９】
また、可動体１８の柱状部１８ｃを、バネ部材１９の巻回部１９ａの中心部に挿入した状態で、巻回部１９ａを操作部材２０の収納部２０ｅの内面に当接させたものであるため、操作部材２０の回動動作時、及び押圧動作時、収納部２０ｅの内面で押された巻回部１９ａの変形を柱状部１８ｃで阻止し、従って、バネ部材１９の動作の確実なものが得られ、接点切り換えの確実なスイッチ装置を提供できる。
また、取付部材７と筺体１とで操作部材６の回動動作時、操作部材６を挟持するようにしたため、操作部材６の回動動作時の操作が安定、確実で、操作性の良好なスイッチ装置を提供できる。
また、取付部材２１に設けたＶ字状の凹部２１ｃの頂部に、可動体１８の柱状部１８ｃをバネ部材１９により当接させて、操作部材２０の中立状態を維持するようにしたため、操作部材２０の中立位置が安定して確実に維持でき、精度の良いスイッチ装置を提供できる。
【００３０】
また、凹部６ｄと凸部１ｅとの嵌合により操作部材６の移動のガイドを行うようにしたため、プッシュスイッチＳ２の操作が安定、確実で、操作性の良好なスイッチ装置を提供できる。
また、ケース１２内のプリント基板１３に底壁１ａを載置してスイッチ装置を取り付け、ケース１２の正面部１２ａから操作部材６を突出させたものであるため、ケース１２を握る時等において不用意に操作部材６に接触することが少なく、また、他の操作ボタンと同様の位置で操作でき、操作が確実で、操作性の良好な電子機器を提供できる。
【図面の簡単な説明】
【図１】本発明のスイッチ装置の一実施例の正面図。
【図２】本発明のスイッチ装置の一実施例の側面図。
【図３】本発明のスイッチ装置の一実施例の要部の分解斜視図。
【図４】図２の４ー４線における断面図。
【図５】図４の５ー５線における断面図。
【図６】図４の６ー６線における断面図。
【図７】図４の７ー７線における断面図。
【図８】本発明のスイッチ装置の一実施例の動作の説明図。
【図９】本発明のスイッチ装置の一実施例の動作の説明図。
【図１０】本発明のスイッチ装置の一実施例を使用した電子機器の説明図。
【図１１】本発明のスイッチ装置の他の実施例の分解斜視図。
【図１２】図１１の１２ー１２線における断面図。
【図１３】図１１の１３ー１３線における断面図。
【図１４】図１１の１４ー１４線における断面図。
【図１５】本発明のスイッチ装置の他の実施例の動作の説明図。
【図１６】本発明のスイッチ装置の他の実施例の動作の説明図。
【図１７】従来のスイッチ装置の斜視図。
【図１８】従来のスイッチ装置の分解斜視図。
【図１９】従来のスイッチ装置に係る筺体の平面図。
【図２０】従来のスイッチ装置を使用した電子機器の説明図。
【符号の説明】
１  筺体
１ａ  底壁
１ｂ  側壁
１ｃ  区画壁
１ｄ  空洞部
１ｅ  凸部
１ｆ  係止片
１ｇ  突部
２、３  固定接点
４  共通の固定接点
５  バネ部材
５ａ  巻回部
５ｂ，５ｃ  腕部
６  操作部材
６ａ  基部
６ｂ  操作部
６ｃ  作動部
６ｄ  凹部
６ｅ  収納部
７  取付部材
７ａ  支持部
７ｂ  孔
７ｃ  取付部
Ｓ１  スイッチ部
Ｓ２  プッシュスイッチ
８、９  固定接点
１０  絶縁基板
１１  可動接点
１２  ケース
１２ａ  正面部
１３  プリント基板
１５  筺体
１５ａ  底壁
１５ｂ  側壁
１５ｃ  区画壁
１５ｄ  空洞部
１５ｅ  切り欠き部
１５ｆ  孔
１５ｇ  凸部
１５ｈ  凹部
１６ａ  固定接点
１６ｂ  固定接点
１７  共通の固定接点
１８  可動体
１８ａ  基部
１８ｂ  孔
１８ｃ  柱状部
１９  バネ部材
１９ａ  巻回部
１９ｂ  腕部
１９ｃ  腕部
２０  操作部材
２０ａ  基部
２０ｂ  操作部
２０ｃ  スリット部
２０ｄ  作動部
２０ｅ  収納部
２０ｆ  凸部
２１  取付部材
２１ａ  支持部
２１ｂ  孔
２１ｃ  凹部
２１ｄ  突出部
２２  固定接点
２３  固定接点
２４  絶縁基板
２５  可動接点
Ｓ１  スイッチ部
Ｓ２  プッシュスイッチ
【図１】
0003763676.tif 000002
【図２】
0003763676.tif 000003
【図３】
0003763676.tif 000004
【図４】
0003763676.tif 000005
【図５】
0003763676.tif 000006
【図６】
0003763676.tif 000007
【図７】
0003763676.tif 000008
【図８】
0003763676.tif 000009
【図９】
0003763676.tif 000010
【図１０】
0003763676.tif 000011
【図１１】
0003763676.tif 000012
【図１２】
0003763676.tif 000013
【図１３】
0003763676.tif 000014
【図１４】
0003763676.tif 000015
【図１５】
0003763676.tif 000016
【図１６】
0003763676.tif 000017
【図１７】
0003763676.tif 000018
【図１８】
0003763676.tif 000019
【図１９】
0003763676.tif 000020
【図２０】
0003763676.tif 000021